(57)【要約】【課題】釣りをしている途中において大きな魚が掛かったときにもハンドルの作用長さを長くしたり短くしたりの操作が、その時々に応じて自在に変更するための構成を提供するものである。【解決手段】前記ハンドルアームを前記ハンドル軸に取り付ける取り付け部には、ハンドル軸に形成したネジ部に螺合するボルトネジ部材の非円形部に対して周り止め状態でもってスライド自在に嵌合する長孔がハンドルアームのその長さ方向に設けられ、ハンドルアームの釣り糸巻き取り方向回転によって生じるボルトネジ部材のハンドル軸への進入によってボルトネジ部材の頭部の押し圧によってハンドルアームがハンドル軸側に固定され、釣り糸巻き取り方向とは逆方向のハンドルアームの回転によって生じるハンドル軸に対するボルトネジ部材の緩みによってボルトネジ部材に対してハンドルアームがスライド可能となること。【選択図】      図１
2004222559.tif 000002
【特許請求の範囲】
【請求項１】
リール本体に回転可能に支持したハンドル装置の回転に基づき竿先側からスプールに釣り糸を巻き取る形態であって、前記ハンドル装置は、前記リール本体のハンドル軸の一端部に交差状態に取り付けられるハンドルアームと、前記ハンドル軸に平行な軸線を中心として回転するよう前記ハンドルアームの一側に取り付けられたハンドルノブと、前記ハンドルアームを前記ハンドル軸に取り付ける取り付け部を備え、前記取り付け部には、前記ハンドル軸に形成したネジ部に螺合するボルトネジ部材と、前記ボルトネジ部材の非円形部又は前記ボルトネジ部材と協働するカバー部材の非円形部に対して周り止め状態でもってスライド自在に嵌合する長孔が前記ハンドルアームのその長さ方向に設けられ、前記ハンドルアームの釣り糸巻き取り方向回転によって生じる前記ボルトネジ部材の前記ハンドル軸への進入によって前記ボルトネジ部材の頭部の押し圧によって前記ハンドルアームが前記ハンドル軸側に固定され、釣り糸巻き取り方向とは逆方向の前記ハンドルアームの回転によって生じる前記ハンドル軸に対する前記ボルトネジ部材の緩みによって前記ボルトネジ部材又は前記カバー部材に対して前記ハンドルアームがスライド可能となることを特徴とする魚釣り用リールのハンドル装置。
【請求項２】
リール本体に回転可能に支持したハンドル装置の回転に基づき竿先側からスプールに釣り糸を巻き取る形態であって、前記ハンドル装置は、前記リール本体のハンドル軸の一端部に交差状態に取り付けられるハンドルアームと、前記ハンドル軸に平行な軸線を中心として回転するよう前記ハンドルアームの一側に取り付けられたハンドルノブと、前記ハンドルアームを前記ハンドル軸に取り付ける取り付け部を備え、前記取り付け部は、前記ハンドルアームにその長さ方向に形成した長孔と、前記長孔に沿って前記ハンドルアームの前記リール本体側に設けた第１の噛み合い歯と、前記第１の噛み合い歯に噛み合う第２の噛み合い歯を形成した可動噛み合い部材と、前記長孔と前記可動噛み合い部材とを貫通して前記ハンドル軸の中心軸方向に形成したネジ孔に螺合するボルトネジ部材と、前記ハンドル軸と前記可動噛み合い部材との間に介在された前記ボルトネジ部材の緩み防止用付勢部材とを備え、前記ハンドルアームは前記ボルトネジ部材に対して周り止め状態でもって長さ方向にスライド自在なるように前記長孔で嵌合され、前記ハンドルアームの釣り糸巻き取り方向回転によって生じる前記ボルトネジ部材の前記ハンドル軸への進入によって前記付勢部材が押し圧されると共に前記第１の噛み合い歯に前記可動噛み合い部材が噛み合って前記ハンドルアームが固定され、釣り糸巻き取り方向とは逆方向の前記ハンドルアームの回転によって生じる前記ハンドル軸に対する前記ボルトネジ部材の緩みによって前記第１の噛み合い歯に対する前記可動噛み合い部材の噛み合いが解除されて前記ボルトネジ部材に対する前記ハンドルアームのスライドが可能となることを特徴とする魚釣り用リールのハンドル装置。
【請求項３】
前記付勢部材を皿状バネ部材としたことを特徴とする請求項２に記載の魚釣り用リールのハンドル装置。
【請求項４】
前記ハンドル軸と前記付勢部材との間には、前記付勢部材の押し圧用座金部材を前記ボルトネジ部材が貫通する状態に設けたことを特徴とする請求項２または３に記載の魚釣り用リールのハンドル装置。
【請求項５】
前記ボルトネジ部材の外周に、前記座金部材の抜け止めリングを設けたことを特徴とする請求項４に記載の魚釣り用リールのハンドル装置。
【請求項６】
前記ボルトネジ部材と前記長孔との接触部分には、前記ボルトネジ部材の頭部内側の首部と前記長孔の縁部にそれぞれ同方向に傾斜した傾斜面を設け、両傾斜面が面接触することを特徴とする請求項１乃至５のいずれかに記載の魚釣り用リールのハンドル装置。
【請求項７】
リール本体に回転可能に支持したハンドル装置の回転に基づき竿先側からスプールに釣り糸を巻き取る形態であって、前記ハンドル装置は、前記リール本体のハンドル軸の一端部に交差状態に取り付けられるハンドルアームと、前記ハンドル軸に平行な軸線を中心として回転するよう前記ハンドルアームの一側に取り付けられたハンドルノブと、前記ハンドルアームを前記ハンドル軸に取り付ける取り付け部を備え、前記取り付け部は、前記ハンドル軸外周のネジ部に螺合する筒状軸部を備えたボルトネジ部材と、前記ハンドル軸に回転自在に取り付けられ前記ボルトネジ部材と協働回転するように前記筒状軸部の外側に嵌合した環状のカバー部材と、前記ハンドルアームにその長さ方向に形成され前記カバー部材の非円形部に対して周り止め状態でもってスライド自在に嵌合する長孔を備え、前記ハンドルアームの釣り糸巻き取り方向回転による前記カバー部材の回転に伴って前記ボルトネジ部材が回転して前記ボルトネジ部材の頭部の押し圧によって前記ハンドルアームが前記カバー部材に固定され、釣り糸巻き取り方向とは逆方向の前記ハンドルアームの回転によって前記ハンドルアームの押し圧固定が解除されて前記ハンドルアームがスライド可能となることを特徴とする魚釣り用リールのハンドル装置。
【請求項８】
前記カバー部材内側に前記ハンドル軸が貫通状態に配置され、前記ハンドルアームの釣り糸巻き取り方向回転により押し圧される前記ボルトネジ部材の緩み防止用付勢部材を設けたことを特徴とする請求項７に記載の魚釣り用リールのハンドル装置。
【発明の詳細な説明】
【０００１】
【発明の属する技術分野】
本発明は、魚釣り用リールに関し、特に、スプールに釣り糸を巻き取るために回転されるハンドル装置に関する。
【０００２】
【従来の技術】
これまでに、スプールに釣り糸を巻き取るために回転されるハンドル装置のハンドルアームの長さを調節することができる魚釣り用リールが開示されている。その一つとして、ハンドル軸にスリーブがスライド可能に嵌り、スリーブとハンドル軸の先端部との間でハンドルアームを挟持可能に形成し、ネジ部材によってハンドル軸をその軸方向へ締め付けてスリーブの押圧部のハンドルアームに対する圧接によってハンドルアームを所定位置に固定し、ネジ部材を緩めることによってスリーブの押圧部のハンドルアームに対する圧接を解除して、ハンドルアームがスライドできる状態となってハンドルアームの長さが調節できるものがある（特許文献１参照）。
【０００３】
また、ハンドルアームの長さ調整をするために、スプールに回転を伝達する連絡部材の鞘筒部に套管を摺動自在に挿通し、套管内にハンドル杆を摺動自在に挿通し、套管に対してハンドル杆を摺動させてハンドルの長さを変更し、この変更に対するバランスをとるために鞘筒部に対して套管を摺動させて套管の一端に取り付けたバランスウェイトの位置を調節する。そして、鞘筒部を貫通して套管に形成した複数の孔又は長孔を通した螺子の先端がハンドル杆に形成した溝を押し付けることによって、鞘筒部に套管とハンドル杆が固定される構成のものがある（特許文献２参照）。
【０００４】
また、特許文献２の欠点を改良するためとして、操作レバーを操作してハンドルを逆回転してねじ体を緩めてハンドルの長さを変更し、操作レバーを戻してハンドルを正回転してねじ体を締めてハンドルを固定するものがある（特許文献３参照）。
【０００５】
【特許文献１】
実開平４−６２０６３号公報（第３頁〜第７頁、図１）。
【特許文献２】
実公昭５１−３１３４９号公報（第１頁、図１〜図４）。
【特許文献３】
実公平３−１０８６０号公報（第２頁〜第３頁、図１〜図２）。
【０００６】
【発明が解決しようとする課題】
特許文献１のものは、ハンドルアームの長さを調節するためには、ネジ部材を回転操作しなければならず、釣りをしている途中において大きな魚が掛かったときにハンドルの長さを長くして巻き上げ力を大きくするとか、空の状態で釣り糸をスプールへ巻き取る場合等のときに糸巻きを早くするためにハンドルの長さを短くするとか、仕掛けの錘負荷や水深などに応じて疑似餌や仕掛けを微妙にコントロールするときのように、その時々に応じて素早く自在にハンドルアームの作用長さを変更するための構成ではない。
【０００７】
特許文献２のものは、その公報の第１頁左欄３５行目以降に記載されているように、釣場所や魚の種類に応じて「あらかじめ」伸縮自在のハンドルの長さを決めて固定しておくものであり、釣りをしている途中において大きな魚が掛かったときにハンドルの長さを長くして巻き上げ力を大きくするとか、空の状態で釣り糸をスプールへ巻き取る場合等のときに糸巻きを早くするためにハンドルの長さを短くするとか、仕掛けの錘負荷や水深などに応じて疑似餌や仕掛けを微妙にコントロールするときのように、その時々に応じて素早く自在にハンドルアームの作用長さを変更するための構成ではない。
【０００８】
また特許文献３のものは、特許文献１及び２のように、ネジやナットを締めたり緩めたりの操作によってハンドルをハンドル軸に固定したりハンドルアームの長さを調節するものではなく、操作レバーを操作してハンドルアームのロックを外した後、ハンドルの回転操作によってハンドルアームの長さを調節し、調節後は操作レバーを解除する方式であり、特許文献１及び２のものに比して操作は容易となるが、ハンドルアームの長さ調節ごとに操作レバーの操作が必要となる構造であり、複雑化する問題がある。
【０００９】
本発明は、これらの点に鑑みて、釣りをしている途中において大きな魚が掛かったときにハンドルの長さを長くして巻き上げ力を大きくするとか、空の状態で釣り糸をスプールへ巻き取る場合等のときに糸巻きを早くするためにハンドルの長さを短くするとか、仕掛けの錘負荷や水深などに応じて疑似餌や仕掛けを微妙にコントロールするときのように、その時々に応じて素早く自在にハンドルアームの作用長さを変更するための魚釣り用リールのハンドル装置を提供するものである。
【００１０】
【課題を解決するための手段】
本発明の魚釣り用リールのハンドル装置は、リール本体に回転可能に支持したハンドル装置の回転に基づき竿先側からスプールに釣り糸を巻き取る形態であって、前記ハンドル装置は、前記リール本体のハンドル軸の一端部に交差状態に取り付けられるハンドルアームと、前記ハンドル軸に平行な軸線を中心として回転するよう前記ハンドルアームの一側に取り付けられたハンドルノブと、前記ハンドルアームを前記ハンドル軸に取り付ける取り付け部を備え、前記取り付け部には、前記ハンドル軸に形成したネジ部に螺合するボルトネジ部材と、前記ボルトネジ部材の非円形部又は前記ボルトネジ部材と協働するカバー部材の非円形部に対して周り止め状態でもってスライド自在に嵌合する長孔が前記ハンドルアームのその長さ方向に設けられ、前記ハンドルアームの釣り糸巻き取り方向回転によって生じる前記ボルトネジ部材の前記ハンドル軸への進入によって前記ボルトネジ部材の頭部の押し圧によって前記ハンドルアームが前記ハンドル軸側に固定され、釣り糸巻き取り方向とは逆方向の前記ハンドルアームの回転によって生じる前記ハンドル軸に対する前記ボルトネジ部材の緩みによって前記ボルトネジ部材又は前記カバー部材に対して前記ハンドルアームがスライド可能となることを特徴とする。
【００１１】
これによって、スプールに釣り糸を巻き取る操作状態において、ハンドル軸に対するハンドルアームの作用長さ調節は、前記ハンドルアームの釣り糸巻き取り方向とは逆方向へ回転させることによって、ハンドルアームの締め付けが緩むためハンドルアームの長さ調節が可能となり、所定の位置においてハンドルアームの釣り糸巻き取り方向へ回転させることによって、ハンドルアームの締め付けが得られる。このため、釣り糸巻き取り状態ではハンドルアームの締め付けが緩むことはなく安定した固定となる。このように、ハンドルアームの逆転によって釣り糸の巻き取り状態に適した作用長さに随時変更することができるものとなる。
【００１２】
また本発明の魚釣り用リールのハンドル装置は、リール本体に回転可能に支持したハンドル装置の回転に基づき竿先側からスプールに釣り糸を巻き取る形態であって、前記ハンドル装置は、前記リール本体のハンドル軸の一端部に交差状態に取り付けられるハンドルアームと、前記ハンドル軸に平行な軸線を中心として回転するよう前記ハンドルアームの一側に取り付けられたハンドルノブと、前記ハンドルアームを前記ハンドル軸に取り付ける取り付け部を備え、前記取り付け部は、前記ハンドルアームにその長さ方向に形成した長孔と、前記長孔に沿って前記ハンドルアームの前記リール本体側に設けた第１の噛み合い歯と、前記第１の噛み合い歯に噛み合う第２の噛み合い歯を形成した可動噛み合い部材と、前記長孔と前記可動噛み合い部材を貫通して前記ハンドル軸の中心軸方向に形成したネジ孔に螺合するボルトネジ部材と、前記ハンドル軸と前記可動噛み合い部材との間に介在された前記ボルトネジ部材の緩み防止用付勢部材とを備え、前記ハンドルアームは前記ボルトネジ部材に対して周り止め状態でもって長さ方向にスライド自在なるように前記長孔で嵌合され、前記ハンドルアームの釣り糸巻き取り方向回転によって生じる前記ボルトネジ部材の前記ハンドル軸への進入によって前記付勢部材が押し圧されると共に前記第１の噛み合い歯に前記可動噛み合い部材が噛み合って前記ハンドルアームが固定され、釣り糸巻き取り方向とは逆方向の前記ハンドルアームの回転によって生じる前記ハンドル軸に対する前記ボルトネジ部材の緩みによって前記第１の噛み合い歯に対する前記可動噛み合い部材の噛み合いが解除されて前記ボルトネジ部材に対する前記ハンドルアームのスライドが可能となることを特徴とする。
【００１３】
これによって、スプールに釣り糸を巻き取る操作状態において、ハンドル軸に対するハンドルアームの作用長さ調節は、前記ハンドルアームの釣り糸巻き取り方向とは逆方向へ回転させることによって、前記第１の噛み合い歯と前記可動噛み合い部材との噛み合いが解除され、ハンドルアームの作用長さ調節が可能となる。そして、所定の作用長さに調節した後、ハンドルアームを釣り糸巻き取り方向へ回転させることによって、前記第１の噛み合い歯と前記可動噛み合い部材とが噛み合い、ハンドルアームの締め付けが得られる。このため、釣り糸巻き取り状態ではハンドルアームの締め付けが緩むことはなく安定した固定となる。このように、ハンドルアームの逆転によって釣り糸の巻き取り状態に適した作用長さに随時変更することができるものとなる。
【００１４】
また、上記の本発明の魚釣り用リールは、前記付勢部材の存在によって、前記ハンドルアームの釣り糸巻き取り方向回転によって前記ボルトネジ部材が前記ハンドル軸への進入し、前記第１の噛み合い歯に前記可動噛み合い部材が噛み合い締め付けられたとき、前記付勢部材の付勢力によって前記ハンドル軸のネジ部と前記ボルトネジ部材のネジ部との噛み合い抵抗が強くなり、前記ボルトネジ部材の緩みが防止される。また前記付勢部材を皿状バネ部材としたことを特徴とする。これによって、前記付勢部材の厚さを薄く制限できるため、ハンドルアームがリール本体から離れる距離を小さくでき、ハンドルアームがリール本体から遠く離れることによる釣り糸の巻き取り操作の不安定さを解決できる。
【００１５】
また、前記ハンドル軸と前記付勢部材との間には、前記付勢部材の押し圧用座金部材を前記ボルトネジ部材が貫通する状態に設けたことを特徴とする。これによって、前記付勢部材の保持と付勢部材の押し圧が均一化され、前記可動噛み合い部材を略均一均に押すことができ、前記第１の噛み合い歯と前記可動噛み合い部材との噛み合いがスムースに行える。
【００１６】
更に、前記ボルトネジ部材の外周には、前記座金部材の抜け止めリングを設けたことを特徴とする。これによって、ハンドルアームと可動噛み合い部材と付勢部材と座金部材は、ボルトネジ部材が貫通した状態で保持されるため、組立て時や分解時にこれらの部品がバラバラにならず、便利である。
【００１７】
更にまた、前記ボルトネジ部材と前記長孔との接触部分には、前記ボルトネジ部材の頭部内側の首部と前記長孔の縁部にそれぞれ同方向に傾斜した傾斜面を設け、両傾斜面が面接触することを特徴とする。これによって、ハンドルアームに対する前記ボルトネジ部材の締め付け力の伝達が傾斜面で行われるため、ハンドルアームの変形が抑止され、且つ、大きい噛み合い力によって前記第１の噛み合い歯と前記可動噛み合い部材との噛み合いが得られる。
【００１８】
また本発明の魚釣り用リールのハンドル装置は、リール本体に回転可能に支持したハンドル装置の回転に基づき竿先側からスプールに釣り糸を巻き取る形態であって、前記ハンドル装置は、前記リール本体のハンドル軸の一端部に交差状態に取り付けられるハンドルアームと、前記ハンドル軸に平行な軸線を中心として回転するよう前記ハンドルアームの一側に取り付けられたハンドルノブと、前記ハンドルアームを前記ハンドル軸に取り付ける取り付け部を備え、前記取り付け部は、前記ハンドル軸外周のネジ部に螺合する筒部を備えたボルトネジ部材と、前記ハンドル軸に回転自在に取り付けられ前記ボルトネジ部材と協働回転するように前記筒部の外側に嵌合した環状のカバー部材と、前記ハンドルアームにその長さ方向に形成され前記カバー部材の非円形部に対して周り止め状態でもってスライド自在に嵌合する長孔を備え、前記ハンドルアームの釣り糸巻き取り方向回転による前記カバー部材の回転に伴って前記ボルトネジ部材が回転して前記ボルトネジ部材の頭部の押し圧によって前記ハンドルアームが前記カバー部材に固定され、釣り糸巻き取り方向とは逆方向の前記ハンドルアームの回転によって前記ハンドルアームの押し圧固定が解除されて前記ハンドルアームがスライド可能となることを特徴とする。
【００１９】
これによって、ハンドルアームの釣り糸巻き取り方向回転により、ボルトネジ部材の頭部の押し圧によってハンドルアームがカバー部材に強圧保持されて安定し、またハンドルアームを逆に回すことによってこのハンドルアームの押し圧が解除されるため、ハンドルアームをカバー部材に対してスライドして、その作用長さを変更できる。また、両軸受けタイプリールのドラッグ機構軸と同軸にハンドル装置を設けることができ、コンパクト構成にできる効果がある。
【００２０】
また本発明の魚釣り用リールのハンドル装置は、前記カバー部材内側に前記ハンドル軸が貫通状態に配置され、前記ハンドルアームの釣り糸巻き取り方向回転により押し圧される前記ボルトネジ部材の緩み防止用バネ部材を設けたことを特徴とする。
【００２１】
これによって、ボルトネジ部材の緩み防止用バネ部材はカバー部材で覆われて露出しないので、リールの操作時にこのバネ部材に指が当たって怪我することもなく安全である。また、全体的にコンパクト構成となる。
【００２２】
【発明の実施の形態】
各図は本発明の魚釣り用リールの実施形態を示しており、図１は本発明魚釣り用リールのハンドル装置部分を背後から見た図、図２は本発明のハンドルアーム締め付け状態を示す断面図、図３は本発明のハンドルアームの締め付け解除状態を示す断面図、図４は本発明のハンドルアームとボルトネジ部材との位置関係を示す説明図、図５は本発明の他の実施形態を示す断面図、図６は本発明の更に他の実施形態を示す部分断面図、図７の（イ）及び（ロ）は図６のハンドルアーム部の平面図及び一部断面の側面図、図８は本発明の更に他の実施形態を示す部分断面図、図９の（イ）及び（ロ）は図８のハンドルアーム部の平面図及び一部断面の側面図、図１０は本発明の更に他の実施形態を示す部分断面図、図１１は図１０のハンドルアーム部の平面図、図１２の（イ）（ロ）（ハ）は図６乃至図１１の構成におけるスクリューボルトの抜け止め構成の説明図、図１３はカバー部材の断面図、図１４はクリック音発生部などの他の構成図である。
【００２３】
以下、本発明の実施形態を図に基づき説明する。先ず図１乃至図４に基づいて本発明を説明する。魚釣り用リール１は、両軸受けタイプリールのリール本体２の略センターに設けたスプール軸４Ａには、釣り糸を巻き取るスプール４が回転自在に取り付けられている。スプール軸の軸線４Ａと平行にリール本体２に支持したハンドル軸５には、ハンドル装置３が取り付けられており、リール本体２に対するハンドル装置３の回転によってスプール４を回転させて竿先側から釣り糸を巻きとる操作を行う。ハンドル装置３は、ハンドル軸５に取り付けたハンドルアーム６と、ハンドルアーム６の一側にハンドル軸５の軸線５Ａに平行な軸線７Ａ上の軸７を中心として回転するよう軸支持された掌で覆う形状のノブ８を備えている。
【００２４】
リール本体２内には、ハンドル軸５を中心としてワンウェイクラッチ機構９、ドラッグ機構１０及びメインギア１１が設けられている。ハンドル装置３を釣り糸巻き取り方向へ回転することによってハンドル軸５が回転し、ワンウェイクラッチ機構９とドラッグ機構１０を介してメインギア１１が回転し、このメインギア１１と噛み合うピニオンギア（図示せず）の回転によってスプール４が回転して釣り糸を巻き取る仕組みである。
【００２５】
仕掛けを投げて釣りをしているときは、ワンウェイクラッチ機構９によってハンドル軸５の逆転が阻止されている。この状態において、魚が仕掛けにかかった場合、その魚が引く力が釣り糸を通してスプール４に伝達される。この場合、魚が引く力がドラッグ機構１０によって設定した抵抗力よりも小さい場合はスプール４が回転せず、釣り糸がスプール４から繰り出されることはない。しかし、魚による引きが強くドラッグ機構１０によって設定した抵抗力を上回る場合は、ドラッグ機構１０部分での滑りによってスプール４が回転するため、スプール４からの釣り糸の繰り出しが行われる。このような構成は従来から公知である。ドラッグ機構１０による抵抗設定は、ドラッグノブ１０Ａの回転によって行われる。
【００２６】
図２乃至図４には本発明魚釣り用リールのハンドル装置の実施形態の一つがしめされており、以下これについて説明する。これは、リール本体２に回転可能に支持したハンドル装置３の回転に基づき竿先側からスプール４に釣り糸を巻き取る形態であって、ハンドル装置３は、リール本体２のハンドル軸５の一端部に交差状態に取り付けられるハンドルアーム６と、ハンドル軸５に平行な軸線７Ａを中心として回転するようハンドルアーム６の一側に取り付けられたハンドルノブ８と、ハンドルアーム６をハンドル軸５に取り付ける取り付け部１００を備えている。
【００２７】
この取り付け部１００は、ハンドルアーム６にその長さ方向に形成した長孔２０と、長孔２０に沿ってハンドルアーム６のリール本体２側に設けた第１の噛み合い歯２１と、第１の噛み合い歯２１に噛み合う第２の噛み合い歯２２を形成した可動噛み合い部材２３と、長孔２０と可動噛み合い部材２３を貫通してハンドル軸５内にその中心軸５Ａ方向に形成したネジ孔２４に螺合するボルトネジ部材２５と、ハンドル軸５と可動噛み合い部材２３との間に介在されたボルトネジ部材２５の緩み防止用付勢部材２６とを備えている。この付勢部材２６はバネ部材で構成されればよいが、狭い部分において十分な機能を果たすためには、皿状バネ部材が好適である。
【００２８】
第１の噛み合い歯２１は、ハンドルアーム６に直接形成してもよいが、製造のし易さ及び他の異質補強材の組み込みにより可動接合部の強度を増すことを考慮して、ハンドルアーム６に第１の噛み合い歯２１を形成した歯部材３５をハンドルアーム６に取り付ける構成としている。即ち、ハンドルアーム６の長孔２０の周囲には長孔２０に沿った矩形状の窪み３６を形成し、この窪み３６に矩形状の歯部材３５を嵌め込み、螺子３７にてハンドルアーム６に固定している。そしてこの歯部材３５には、長孔２０と同形状の長孔２０が形成されている。この構成によって、長孔２０は実質的にハンドルアーム６に形成された状態である。
【００２９】
ボルトネジ部材２５は、ハンドル軸５内のネジ孔２４に螺合するネジ部２７を形成した軸部２８が頭部２５Ａに連結しており、ハンドルアーム６はボルトネジ部材２５に対して周り止め状態でもって長さ方向にスライド自在なるように長孔２０で嵌合された構成である。具体的には、ボルトネジ部材２５は、その軸部２８の頭部２５Ａに近い部分には長孔２０の幅Ｔ１よりも僅かに小さい寸法に形成した非円形部である平行面２９を形成しており、この平行面２９が長孔２０にスライド自在に嵌合してハンドルアーム６はボルトネジ部材２５に対して周り止め状態である。即ち、ハンドルアーム６はボルトネジ部材２５に対して長孔２０の長さ方向にスライド自在である。
【００３０】
更に、ボルトネジ部材２５と長孔２０との接触部分には、ボルトネジ部材２５の頭部２５Ａ内側の首部３０と長孔２０の縁部にそれぞれ同方向に傾斜した傾斜面３１、３２を設け、両傾斜面３１、３２が面接触するように構成している。またハンドル軸５と皿状バネ部材２６との間には、皿状バネ部材２６の押し圧用座金部材３３をボルトネジ部材２５が貫通する状態に設けている。更に、ボルトネジ部材の外周には、座金部材３３の抜け止めリング３４を取り付けている。ハンドルアーム６と可動噛み合い部材２３と皿状バネ部材２６と座金部材３３は、ボルトネジ部材２５の軸部２８が貫通した状態であり、これらの部品は頭部２５Ａ又は首部３０とこの抜け止めリング３４との間に保持されて、ボルトネジ部材２５から外れない状態を保つことができる。
【００３１】
このような構成において、ハンドルアーム６を釣り糸巻き取り方向（図１で紙面方向）へ回転することにより、図２のように、ボルトネジ部材２５がハンドル軸５のネジ孔２４へねじ込まれてハンドル軸５内へ進入した状態では、ハンドル軸５の先端が座金部材３３を押して、皿状バネ部材２６を介して第１の噛み合い歯２１に可動噛み合い部材２３が噛み合い、皿状バネ部材２６が平板状に押し圧された状態である。この状態は、ボルトネジ部材２５の頭部２５Ａ内側の首部３０と長孔２０の縁部に形成した傾斜面３１、３２が面接触しており、ボルトネジ部材２５がハンドルアーム６をハンドル軸５に固定した状態である。この状態において、ボルトネジ部材２５の平行面２９が長孔２０に周り止め状態の嵌め合わせであるため、ハンドルアーム６を釣り糸巻き取り方向（図１で紙面方向）へ回転することにより、ハンドル軸５が回転して竿先から釣り糸をスプール４に巻き取ることができる。
【００３２】
次に、ハンドルアーム６を釣り糸巻き取り方向とは逆方向（図１で紙面の手前方向）へ回転させる。この回転方向は、ハンドル軸５に対してボルトネジ部材２５が緩む方向である。上記のようにボルトネジ部材２５の平行面２９が長孔２０に周り止め状態の嵌め合わせであるため、このボルトネジ部材２５が緩む方向の回転によって、図３のように第１の噛み合い歯２１に対する可動噛み合い部材２３の噛み合いが解除される。この状態において、ボルトネジ部材２５に対してハンドルアーム６は長孔２０の長さの範囲でスライド可能となるため、ハンドルアーム６の実質的作用長さを変更することができる。図３の位置は図２の位置からハンドルアーム６の実質的作用長さが最大になるようにハンドルアーム６をスライドさせた状態である。
【００３３】
このようにしてハンドルアーム６の実質的作用長さを設定した後、ハンドルアーム６を釣り糸巻き取り方向（図１で紙面方向）へ回転することによって、ボルトネジ部材２５がハンドル軸５のネジ孔２４へねじ込まれてハンドル軸５内へ進入する。そして、ハンドル軸５の先端が座金部材３３を押して、皿状バネ部材２６を介して第１の噛み合い歯２１に可動噛み合い部材２３が噛み合い、皿状バネ部材２６が平板状に押し圧された状態となる。この状態では、ボルトネジ部材２５の頭部２５Ａ内側の首部３０と長孔２０の縁部に形成した傾斜面３１、３２が圧接して、ボルトネジ部材２５がハンドルアーム６をハンドル軸５に固定した状態となる。そして、ボルトネジ部材２５の平行面２９が長孔２０に周り止め状態の嵌め合わせであるため、ハンドルアーム６を釣り糸巻き取り方向（図１で紙面方向）へ回転することにより、ハンドル軸５が回転して竿先から釣り糸をスプール４に巻き取ることができる。また、座金部材３３の反発付勢力が生じてボルトネジ部材２５のネジ部２７とハンドル軸５のネジ部２４との摩擦抵抗が増加し、ボルトネジ部材２５の緩みが防止される。
【００３４】
本発明は上記のように、ハンドルアーム６をハンドル軸５に取り付ける取り付け部には、ハンドル軸５に形成したネジ部２４に螺合するボルトネジ部材２５と、ボルトネジ部材２５の非円形部２９に対して周り止め状態でもってスライド自在に嵌合する長孔２０がハンドルアーム６のその長さ方向に設けられ、ハンドルアーム６の釣り糸巻き取り方向回転によって生じるボルトネジ部材２５のハンドル軸５への進入によってボルトネジ部材２５の頭部２５Ａの押し圧によってハンドルアーム６がハンドル軸５側に固定され、釣り糸巻き取り方向とは逆方向のハンドルアーム６の回転によって生じるハンドル軸５に対するボルトネジ部材２５の緩みによってボルトネジ部材２５に対してハンドルアーム６がスライド可能となる構成である。
【００３５】
図５には図３の構成において、座金部材３３が皿状バネ部材２６と可動噛み合い部材２３の一部を覆うように、座金部材３３に環状のカバー部３３Ａを形成し、また、ボルトネジ部材２５の頭部２５Ａ内側の首部３０と長孔２０の縁部には傾斜面３１、３２を形成しない構成である。その他の部分は図３の構成と同様であり、図３の構成と同様の部分には同符合を付しており、その作用も上記で記載したことと同様である。
【００３６】
図６及び図７にはハンドルアーム６をハンドル軸５に取り付ける取り付け部１００の他の実施形態を示している。この構成では、リール本体２から突出したハンドル軸５の外周面にネジ部４０が形成され、ボルトネジ部材２５の頭部２５Ａから延びた筒状軸部２８には、このネジ部４０に螺合するネジ部４１を形成している。ハンドル軸５の非円形外径部７２には軸受け４５が取り付けられ、ボルトネジ部材２５の筒状軸部２８の外側には、ボルトネジ部材２５と協働するカバー部材４２が軸受け４５によってハンドル軸５に回転可能に取り付けられている。カバー部材４２は、ハンドルアーム６のその長さ方向に設けられた長孔２０と相互に周り止め状態でもってスライド自在に嵌合する非円形部として平行面２９を形成している。また、ハンドル軸５の外形に形成した非円形部７２には、受け座金７０がその段部７１に支えられた状態で回転しないように取り付けられており、カバー部材４２と軸受け４５とをこの受け座金７０が受けて、カバー部材４２と軸受け４５が軸方向の移動を制限された構成である。
【００３７】
ボルトネジ部材２５の軸部２８とカバー部材４２との組み合わせ構成部分は、カバー部材４２の内周面に１８０°間隔に配置した軸方向の溝４３を形成し、この溝４３に嵌合するように筒状軸部２８の外周面に１８０°間隔に配置した突起部４４を形成し、この溝４３と突起部４４との嵌合によって、ボルトネジ部材２５はカバー部材４２に対して軸方向にスライド可能であって、ハンドル軸５に対するハンドルアーム６の回転によってボルトネジ部材２５とカバー部材４２は協働して回転する関係となる。皿状バネ部材２６はカバー部材４２で覆われるように軸受け４５とボルトネジ部材２５の筒状軸部２８との間に配置されている。
【００３８】
このような構成において、ハンドルアーム６を釣り糸巻き取り方向へ回転することにより、カバー部材４２を介してボルトネジ部材２５がハンドル軸５へねじ込まれてリール本体２方向へ進入する。この進入した状態ではボルトネジ部材２５の頭部２５Ａがハンドルアーム６を押して、ハンドルアーム６をカバー部材４２の平行面２９部分の段部４６に押し圧保持する。この状態は、ボルトネジ部材２５がハンドルアーム６をハンドル軸５に固定した状態である。このため、ハンドルアーム６を釣り糸巻き取り方向へ回転することにより、ハンドル軸５が回転して竿先から釣り糸をスプール４に巻き取ることができる。これと共にボルトネジ部材２５の軸部２８によって皿状バネ部材２６が押圧され、皿状バネ部材２６の反発付勢力が生じてボルトネジ部材２５のネジ部４１とハンドル軸５のネジ部４０との摩擦抵抗が増加し、ボルトネジ部材２５の緩みが防止される。
【００３９】
次に、ハンドルアーム６を釣り糸巻き取り方向とは逆方向へ回転させる。この回転方向は、ハンドル軸５に対してボルトネジ部材２５が緩む方向である。上記のようにカバー部材４２の平行面２９が長孔２０に周り止め状態の嵌め合わせであるため、ボルトネジ部材２５が緩む方向の回転によって、ハンドル軸５に対してボルトネジ部材２５が緩み、ボルトネジ部材２５の頭部２５Ａによるハンドルアーム６の押し圧が解除される。この解除状態において、カバー部材４２に対してハンドルアーム６は長孔２０の長さの範囲でスライド可能となるため、ハンドルアーム６の実質的作用長さを変更することができる。
【００４０】
このようにしてハンドルアーム６の実質的作用長さを設定した後、ハンドルアーム６を釣り糸巻き取り方向へ回転することによって、カバー部材４２を介してボルトネジ部材２５がハンドル軸５へねじ込まれてリール本体２方向へ進入する。この進入した状態ではボルトネジ部材２５の頭部２５Ａがハンドルアーム６を押して、ハンドルアーム６をカバー部材４２の平行面２９部分の段部４６に押し圧保持する。この状態は、ボルトネジ部材２５がハンドルアーム６をハンドル軸５に固定した状態である。このため、ハンドルアーム６を釣り糸巻き取り方向へ回転することにより、ハンドル軸５が回転して竿先から釣り糸をスプール４に巻き取ることができる。
【００４１】
本発明は上記のように、ハンドルアーム６をハンドル軸５に取り付ける取り付け部には、ハンドル軸５に形成したネジ部４０に螺合するボルトネジ部材２５と、ボルトネジ部材２５と協働するカバー部材４２の非円形部２９に対して周り止め状態でもってスライド自在に嵌合する長孔２０がハンドルアーム６のその長さ方向に設けられ、ハンドルアーム６の釣り糸巻き取り方向回転によって生じるボルトネジ部材２５のハンドル軸５への進入によってボルトネジ部材２５の頭部２５Ａの押し圧によってハンドルアーム６がハンドル軸５側に固定され、釣り糸巻き取り方向とは逆方向のハンドルアーム６の回転によって生じるハンドル軸５に対するボルトネジ部材２５の緩みによってカバー部材４２に対してハンドルアーム６がスライド可能となる構成である。
【００４２】
図８及び図９には、図６及び図７に示す構成の座金部材３３に代わるボルトネジ部材２５の緩み防止構成を示している。図８及び図９では、ボルトネジ部材２５の頭部２５Ａに対向したカバー部材４２には、１８０°間隔に配置した窪み４７を形成し、この窪み４７内にコイルバネ４８でボルトネジ部材２５の頭部２５Ａへ向けて付勢されたボール４９を設けている。一方、ボルトネジ部材２５の頭部２５Ａには、このボール４９が選択的に嵌る凹部５０が所定間隔で円周上に配置された構成である。図８及び図９の構成において、図６及び図７に示す構成と同様の部分には同符合を付しており、その作用も上記で記載したことと同様である。
【００４３】
この構成において、ハンドルアーム６を釣り糸巻き取り方向へ回転することによって、カバー部材４２を介してボルトネジ部材２５がハンドル軸５へねじ込まれてリール本体２方向へ進入する。この進入に伴ってボルトネジ部材２５の頭部２５Ａの凹部５０の一つに嵌ったボール４９がコイルバネ４８を圧縮しつつ、ボルトネジ部材２５の頭部２５Ａがハンドルアーム６を押して、ハンドルアーム６をカバー部材４２の平行面２９部分の段部４６に押し圧保持する。この状態は、ボルトネジ部材２５がハンドルアーム６をハンドル軸５に固定した状態である。図６及び図７に示す構成と同様の部分には同符合を付しており、その作用も上記で記載したことと同様であり、カバー部材４２に対してハンドルアーム６は長孔２０の長さの範囲でスライド可能となるため、ハンドルアーム６の実質的作用長さを変更することができる点も上記と同様である。
【００４４】
このように、ボルトネジ部材２５がハンドルアーム６をハンドル軸５に固定した状態で、コイルバネ４８が圧縮されるため、このコイルバネ４８の反発力によって、ボルトネジ部材２５のネジ部４１とハンドル軸５のネジ部４０との摩擦抵抗が増加し、ボルトネジ部材２５の緩みが防止される。
【００４５】
図１０及び図１１には、図６及び図７に示す構成において、カバー部材４２に対してハンドルアーム６を長孔２０の長さの範囲でスライドさせるとき、クリック音を発生させるクリック音発生装置８０を設けたものである。クリック音発生装置８０は、ハンドルアーム６のその長さ方向に設けられた長孔２０の側壁に沿って所定間隔の凹部５１が多数形成され、一方、カバー部材４２の平行面２９には窪み５２が形成され、この窪み５２内にコイルバネ５３によって長孔２０の側壁へ向けて付勢されたボール５４を設けている。
【００４６】
この構成において、カバー部材４２に対してハンドルアーム６を長孔２０の長さの範囲でスライドさせるとき、ボール５４がコイルバネ５３によって順次凹部５１に嵌りそして脱する動作時にクリック音が発生する。これと共に、このボール５４が凹部５１に嵌まるごとに、カバー部材４２に対するハンドルアーム６がその位置で一次保持されるため、ハンドルアーム６の位置決め機能もある。
【００４７】
図１０及び図１１の構成において、図６及び図７に示す構成と同様の部分には同符合を付しており、その作用も上記で記載したことと同様であり、カバー部材４２に対してハンドルアーム６は長孔２０の長さの範囲でスライド可能となるため、ハンドルアーム６の実質的作用長さを変更することができる点も上記と同様である。
【００４８】
図１４には、図８及び図９のボルトネジ部材２５の緩み防止構成におけるコイルバネ４８とボール４９の関係、及び図１０及び図１１のクリック音発生装置８０のコイルバネ５３とボール５４の関係についての他の構成を示している。即ちボール４９、５４を付勢するバネ４８、５３に代わって、反発し合う一対のマグネット６０を窪みに収納し、常時マグネット６０の反発力によってボール４９、５４が窪みから突出するように構成した形態である。
【００４９】
図１２及び図１３には、ボルトネジ部材２５の軸部２８とカバー部材４２との組み合わせ構成の他の形態を示している。図１２及び図１３において、カバー部材４２の内周面に１８０°間隔に配置した軸方向の溝４３は、その奥側で円周方向の弧状溝６５に連通している。ボルトネジ部材２５の軸部２８の外周面に１８０°間隔に形成した突起部４４が、図１２の（イ）のようにこの溝４３に軸方向に嵌合した状態において、ハンドルアーム６を釣り糸巻き取り方向へ回転するときは突起部４４が軸方向の溝４３に位置した図１２（イ）の状態のままである。しかし、ボルトネジ部材２５がハンドル軸５へねじ込まれてリール本体２方向へ進入する状態であるため、ボルトネジ部材２５の脱落は生じない。
【００５０】
一方、ボルトネジ部材２５の頭部２５Ａがハンドルアーム６を押し圧して、ハンドル軸５にハンドルアームが固定された状態において、ハンドルアーム６の作用長さを変更すべくハンドルアーム６を釣り糸巻き取り方向とは逆方向へ回転すれば、図１２の（イ）の状態から突起部４４が移動して、図１２の（ロ）から（ハ）のように突起部４４が弧状溝６５に順次入り込む。図１２の（ハ）のように突起部４４が弧状溝６５に入り込んだ状態で、更にハンドルアーム６を釣り糸巻き取り方向とは逆方向へ回転することによって、カバー部材４２を介してボルトネジ部材２５がハンドル軸５から緩み、上記同様にハンドルアーム６をスライドさせてその作用長さの調節が可能な状態となる。
【００５１】
図１２の（ロ）又は（ハ）に示すように突起部４４が弧状溝６５に入り込んだ状態では、弧状溝６５の屋根部６６の存在によってボルトネジ部材２５はカバー部材４２から外れない状態である。このため、ハンドルアーム６の締め付けを緩めた状態でのボルトネジ部材２５の脱落を防止できる。
【００５２】
本発明は、上記のように、ハンドル軸に対するハンドルアームの作用長さ調節は、ハンドルアームの釣り糸巻き取り方向とは逆方向の回転によって、ハンドルアームの締め付けが緩み、ハンドルアームの長さ調節が可能となり、ハンドルアームの釣り糸巻き取り方向への回転によって、ハンドルアームの締め付けが得られる。このため、ハンドルアームの逆転によって釣り糸の巻き取り状態に適した作用長さに随時変更することができるものとなる。
【００５３】
本発明は上記実施形態の両軸受けタイプのリールに限定されるものではなく、その他のタイプのリールにも適用可能であり、特許請求の範囲を逸脱しない範囲における種種の実施形態を包含するものである。
【００５４】
【発明の効果】
本発明によれば、スプールに釣り糸を巻き取る操作状態において、ハンドル軸に対するハンドルアームの作用長さ調節は、前記ハンドルアームの釣り糸巻き取り方向とは逆方向へ回転させることによって、ハンドルアームの締め付けが緩むためハンドルアームの長さ調節が可能となり、所定の位置においてハンドルアームの釣り糸巻き取り方向へ回転させることによって、ハンドルアームの締め付けが得られる。このため、釣り糸巻き取り状態ではハンドルアームの締め付けが緩むことはなく安定した固定となる。このようにハンドルアームの逆転によって釣り糸の巻き取り状態に適した作用長さに随時変更することができるものとなる。
【００５５】
請求項２の発明によれば、スプールに釣り糸を巻き取る操作状態において、ハンドル軸に対するハンドルアームの作用長さ調節は、前記ハンドルアームの釣り糸巻き取り方向とは逆方向へ回転させることによって、前記第１の噛み合い歯と前記可動噛み合い部材との噛み合いが解除され、ハンドルアームの作用長さ調節が可能となる。そして、所定の作用長さに調節した後、ハンドルアームを釣り糸巻き取り方向へ回転させることによって、前記第１の噛み合い歯と前記可動噛み合い部材とが噛み合い、ハンドルアームの締め付けが得られる。このため、釣り糸巻き取り状態ではハンドルアームの締め付けが緩むことはなく安定した固定となる。このように、ハンドルアームの逆転によって釣り糸の巻き取り状態に適した作用長さに随時変更することができるものとなる。
【００５６】
本発明によれば、付勢部材の存在によって、ハンドルアームの釣り糸巻き取り方向回転によってボルトネジ部材がハンドル軸への進入し、第１の噛み合い歯に可動噛み合い部材が噛み合い締め付けられたとき、付勢部材の付勢力によってハンドル軸のネジ部とボルトネジ部材のネジ部との噛み合い抵抗が強くなり、ボルトネジ部材の緩みが防止される。そして、請求項３の本発明によれば、付勢部材を皿状バネ部材としたことによって付勢部材の厚さを薄く制限できるため、ハンドルアームがリール本体から離れる距離を小さくでき、ハンドルアームがリール本体から遠く離れることによる釣り糸の巻き取り操作の不安定さを解決できる。
【００５７】
また、請求項４の発明によれば、ハンドル軸と付勢部材との間には、付勢部材の押し圧用座金部材をボルトネジ部材が貫通する状態に設けたことによって、付勢部材の保持と付勢部材の押し圧が均一化され、可動噛み合い部材を略均一均に押すことができ、第１の噛み合い歯と可動噛み合い部材との噛み合いがスムースに行える。
【００５８】
更に、請求項５の発明によれば、ボルトネジ部材の外周には、座金部材の抜け止めリングを設けたことによって、ハンドルアームと可動噛み合い部材と付勢部材と座金部材は、ボルトネジ部材が貫通した状態で保持されるため、組立て時や分解時にこれらの部品がバラバラにならず、便利である。
【００５９】
更にまた、請求項６の発明によれば、ボルトネジ部材と長孔との接触部分には、ボルトネジ部材の頭部内側の首部と長孔の縁部にそれぞれ同方向に傾斜した傾斜面を設け、両傾斜面が面接触するものである。これによって、ハンドルアームに対するボルトネジ部材の締め付け力の伝達が傾斜面で行われるため、ハンドルアームの変形が抑止され、且つ、大きい噛み合い力によって第１の噛み合い歯と可動噛み合い部材との噛み合いが得られる。
【００６０】
また請求項７の発明によれば、ハンドルアームの釣り糸巻き取り方向回転により、ボルトネジ部材の頭部の押し圧によってハンドルアームがカバー部材に強圧保持されて安定し、またハンドルアームを逆に回すことによってこのハンドルアームの押し圧が解除されるため、ハンドルアームをカバー部材に対してスライドして、その作用長さを変更できる。また、両軸受けタイプリールのドラッグ機構軸と同軸にハンドル装置を設けることができ、コンパクト構成にできる効果がある。
【００６１】
また請求項８の発明によれば、ボルトネジ部材の緩み防止用バネ部材はカバー部材で覆われて露出しないので、リールの操作時にこのバネ部材に指が当たって怪我することもなく安全である。また、全体的にコンパクト構成となる。
【図面の簡単な説明】
【図１】本発明魚釣り用リールのハンドル装置部分を背後から見た図である。
【図２】本発明のハンドルアーム締め付け状態を示す断面図である。
【図３】本発明のハンドルアームの締め付け解除状態を示す断面図である。
【図４】本発明のハンドルアームとボルトネジ部材との位置関係を示す説明図である。
【図５】本発明の他の実施形態を示す断面図である。
【図６】本発明の更に他の実施形態を示す部分断面図である。
【図７】（イ）及び（ロ）は図６のハンドルアーム部の平面図及び一部断面の側面図である。
【図８】本発明の更に他の実施形態を示す部分断面図である。
【図９】（イ）及び（ロ）は図８のハンドルアーム部の平面図及び一部断面の側面図である。
【図１０】本発明の更に他の実施形態を示す部分断面図である。
【図１１】図１０のハンドルアーム部の平面図である。
【図１２】（イ）（ロ）（ハ）は図６乃至図１１の構成におけるスクリューボルトの抜け止め構成の説明図である。
【図１３】カバー部材の断面図である。
【図１４】クリック音発生部などの他の構成図である。
【符号の説明】
１……魚釣り用リール
２……リール本体
３……ハンドル装置
４……スプール
５……ハンドル軸
６……ハンドルアーム
７Ａ……ハンドル軸に平行な軸線
２０……長孔
２１……第１の噛み合い歯
２２……第２の噛み合い歯
２３……可動噛み合い部材
２５……ボルトネジ部材
２６……緩み防止用付勢部材（皿状バネ部材）
２８……軸部
２９……非円形部
３１、３２……傾斜面
３３……座金部材
３４……抜け止めリング
４２……環状カバー部材
７０……受け座金
１００……取り付け部
【図１】
2004222559.tif 000003
【図２】
2004222559.tif 000004
【図３】
2004222559.tif 000005
【図４】
2004222559.tif 000006
【図５】
2004222559.tif 000007
【図６】
2004222559.tif 000008
【図７】
2004222559.tif 000009
【図８】
2004222559.tif 000010
【図９】
2004222559.tif 000011
【図１０】
2004222559.tif 000012
【図１１】
2004222559.tif 000013
【図１２】
2004222559.tif 000014
【図１３】
2004222559.tif 000015
【図１４】
2004222559.tif 000016